(57)【要約】【課題】揺動アームを遊技盤の前後方向へスムーズに揺動動作することができる弾球遊技機の演出装置を提供する。【解決手段】可動役物１０の役物本体１６は弾性変形部１６ａを有しており、この役物本体１６の背後に揺動ユニット１８を配設する。揺動ユニット１８は、駆動突起２８ａを有する駆動体２８と、裏面にカム状突部３２を有する揺動アーム１９と、カム状突部３２を駆動突起２８ａに圧接させるコイルばね３０とを備えており、第２のモータ２６を駆動源として駆動体２８を回転することにより、駆動体２８の回転動作を駆動突起２８ａとカム状突部３２の摺動部分で揺動アーム１９の揺動動作に変換し、この揺動アーム１９の揺動動作に伴って弾性変形部１６ａを遊技盤３の前後方向へ弾性変形するようにした。【選択図】図１１
2008183028.tif 000002
【特許請求の範囲】
【請求項１】
遊技盤の盤面と直交する平面に沿って前後方向へ揺動可能に支持された揺動アームと、この揺動アームを後方へ付勢するばね部材と、前記揺動アームの裏面側に配置された駆動体と、この駆動体を回転動作するモータとを備え、
前記揺動アームの裏面に前記駆動体の回転動作を該揺動アームの揺動動作に変換するカム状突部を設け、前記ばね部材の付勢力によって前記カム状突部を前記駆動体に圧接させたことを特徴とする弾球遊技機の演出装置。
【請求項２】
請求項１の記載において、前記駆動体がその回転方向へ所定間隔を存して配置された複数の駆動突起を有しており、これら駆動突起を前記カム状突部に当接することにより、前記駆動体の回転動作が前記揺動アームの揺動動作に変換されることを特徴とする弾球遊技機の演出装置。
【請求項３】
請求項１または２の記載において、前記遊技盤に弾性変形部を有する可動役物が配設されており、前記弾性変形部を前記揺動アームの揺動動作によって弾性変形させるようにしたことを特徴とする弾球遊技機の演出装置。
【請求項４】
請求項３の記載において、前記揺動アームに先端を球面にした押圧部が設けられており、この押圧部を前記弾性変形部の裏面に対向させたことを特徴とする弾球遊技機の演出装置。
【発明の詳細な説明】
【技術分野】
【０００１】
本発明は、可動役物を含む弾球遊技機の演出装置に係り、特に、遊技盤の盤面と直交方向へ運動可能な可動部を有する役物を含む弾球遊技機の演出装置に関するものである。
【背景技術】
【０００２】
パチンコ機などの弾球遊技機においては、遊技者の興趣を惹くような趣向を凝らすために、遊技盤の中央部にＬＣＤ等の画像表示画面を配置すると共に、画像表示画面の近傍に可動役物を配置して遊技の演出を行うようにした中央役物装置が広く採用されている。可動役物はモータを駆動源として種々の運動を行うようになっており、その一例として、可動アームを画像表示画面の前方で左右方向に揺動させるようにした可動役物が従来より知られている（例えば、特許文献１参照）。
【０００３】
特許文献１に開示された可動役物では、Ｌ字状に形成された可動アームの揺動軸を遊技盤の前方に直交方向へ突出させると共に、この揺動軸を複数の歯車列を介して遊技盤の裏面側に配設したモータの回転軸に連結し、モータを正転方向と逆転方向へ所定の角度範囲内で回転制御することにより、可動アームが揺動軸を支点として遊技盤の盤面に平行な面内に沿って揺動するようなっている。可動アームの先端側には装飾体が固着されており、この装飾体が可動アームの揺動運動に伴って画像表示画面の前方で左右方向へ往復移動するため、画像表示画面の表示内容と可動アームの動きを関連させることによって遊技の演出効果を高めることができる。
【特許文献１】特開２００３−１９０４０１号公報
【発明の開示】
【発明が解決しようとする課題】
【０００４】
前述したように可動役物は遊技中の遊技者にとって興趣を惹くものであるため、可動役物の運動形態や移動方向には多種多様のバリエーションが求められており、例えば可動役物の一部または全部を遊技盤の前後方向へ揺動させるという要望がある。この場合、遊技盤とガラス扉で挟まれた狭い空間内で可動役物を前後方向へ揺動させる必要があるため、特許文献１に開示された可動役物のようにモータの回転方向と回転量を制御して可動アームを揺動させる駆動機構では、狭い角度範囲内で可動アームを揺動させることが難しいという問題がある。また、遊技中の遊技者が遊技盤を叩くなどして大きな衝撃力が発生すると、その衝撃力が可動アームの揺動方向（遊技盤の前後方向）に作用するため、外部からの衝撃力によって可動アームが不用意に揺動してしまうという不具合も予想される。
【０００５】
本発明は、このような従来技術の実情に鑑みてなされたもので、その目的は、揺動アームを遊技盤の前後方向へスムーズに揺動動作することができる弾球遊技機の演出装置を提供することにある。
【課題を解決するための手段】
【０００６】
上記の目的を達成するために、本発明による弾球遊技機の演出装置は、遊技盤の盤面と直交する平面に沿って前後方向へ揺動可能に支持された揺動アームと、この揺動アームを後方へ付勢するばね部材と、前記揺動アームの裏面側に配置された駆動体と、この駆動体を回転動作するモータとを備え、前記揺動アームの裏面に前記駆動体の回転動作を該揺動アームの揺動動作に変換するカム状突部を設け、前記ばね部材の付勢力によって前記カム状突部を前記駆動体に圧接させるように構成した。
【０００７】
このように構成された弾球遊技機の演出装置では、モータを駆動源として回転する駆動体の回転動作を揺動アームの裏面に設けたカム状突部で揺動動作に変換することにより、揺動アームが遊技盤の盤面と直交する平面に沿って前後方向へ揺動動作され、しかも、ばね部材で揺動アームを後方へ付勢してカム状突部を駆動体に圧接させているため、揺動アームを遊技盤の前後方向へスムーズに揺動動作することができる。
【０００８】
上記の構成において、駆動体がその回転方向へ所定間隔を存して配置された複数の駆動突起を有しており、これら駆動突起を揺動アームのカム状突部に当接することにより、駆動体の回転動作が揺動アームの揺動動作に変換されるようにすると、駆動体の１回転で揺動アームが複数回揺動するため、揺動アームを遊技盤の前後方向へ小刻みに揺動動作させることができる。
【０００９】
また、上記の構成において、揺動アームに固着した装飾体を遊技盤の前後方向へ揺動させて可動役物とすることも可能であるが、遊技盤に弾性変形部を有する可動役物を配設し、この弾性変形部を揺動アームの揺動動作によって弾性変形させるようにすると、可動役物の弾性変形部を部分的に前後方向へ揺動させることができる。この場合、揺動アームに先端を球面にした押圧部が設けられており、この押圧部を弾性変形部の裏面に対向させると、弾性変形部の損傷を抑制することができて好ましい。
【発明の効果】
【００１０】
本発明による弾球遊技機の演出装置は、遊技盤の裏面側に配置したモータを駆動源として駆動体を回転させ、この駆動体の回転動作を揺動アームの裏面に設けたカム状突部で揺動動作に変換することにより、揺動アームが遊技盤の盤面と直交する平面に沿って前後方向へ揺動動作され、しかも、ばね部材で揺動アームを後方へ付勢してカム状突部を駆動体に圧接させているため、揺動アームを遊技盤の前後方向へスムーズに揺動動作することができる。
【発明を実施するための最良の形態】
【００１１】
発明の実施の形態について図面を参照して説明すると、図１は本発明の実施形態例に係る弾球遊技機の斜視図、図２は弾球遊技機の遊技盤を示す正面図、図３は遊技盤に配設された中央役物装置の正面図、図４は中央役物装置の斜視図、図５は中央役物装置の背面図、図６は中央役物装置に配設された可動役物の動作状態を示す正面図、図７は可動役物の正面図、図８は図７のＡ−Ａ線に沿う断面図、図９は可動役物に設けられた複合可動部の内部構造を示す説明図、図１０は複合可動部の駆動機構を示す斜視図、図１１は可動役物を揺動動作する揺動ユニットの斜視図、図１２は揺動ユニットの動作説明図、図１３は揺動ユニットに設けられた揺動アームを裏面側から見て示す斜視図、図１４は揺動アームと駆動体を裏面側から見て示す斜視図、図１５は揺動アームのカム状突部と駆動体の駆動突起との当接部分を示す説明図である。
【００１２】
図１に示すように、本実施形態例に係る弾球遊技機は、遊技場の島設備に設置される機枠１と、機枠１の一側部に回動可能に支持された前面枠２と、前面枠２の内方に収納された後述する遊技盤３と、前面枠２の一側部に回動可能に支持されたガラス扉４と、前面枠２の下方に配設された発射ハンドル５等を具備している。
【００１３】
図２に示すように、前記遊技盤３はガイドレール６等で囲まれた遊技領域７を有しており、この遊技領域７に向けて発射ハンドル５から遊技球が発射されるようになっている。遊技領域７の中央部上方には中央役物装置８が配設されており、この中央役物装置８には画像表示画面である液晶パネル（ＬＣＤ）９や後述する可動役物１０等が配設されている。また、遊技領域７の中央部下方には、可動片を有する始動入賞口１１や開閉扉を有する大入賞口１２や複数の一般入賞口１３等が配設されており、いずれの入賞口にも入賞しなかった遊技球は遊技領域７の最下端部に設けられたアウト口１４から遊技盤３の裏面側に排出されるようになっている。
【００１４】
図３〜図６に示すように、前記中央役物装置８は合成樹脂によって成形された装飾ケース１５を備えており、この装飾ケース１５の中央部には比較的大きめな略方形状の開口１５ａが設けられている。図３〜図６では図示省略されているが、液晶パネル９は開口１５ａを塞ぐように装飾ケース１５の裏面側に配設されており、この液晶パネル９には遊技の演出を行うための種々の画像が表示されるようになっている。
【００１５】
可動役物１０は開口１５ａの右側縁と装飾ケース１５の外縁部との間のスペース内に配置されており、図７と図８に示すように、この可動役物１０は人物を模した役物本体１６とガトリング砲を模した複合可動部１７とによって構成されている。役物本体１６の大部分は合成樹脂によって成形されているが、胸部はシリコンゴム等の弾性材料で形成された弾性変形部１６ａとなっている。この弾性変形部１６ａの背後には揺動ユニット１８の揺動アーム１９が配設されており、後述するように、弾性変形部１６ａは揺動アーム１９の揺動動作によって弾性変形されるようになっている。また、役物本体１６の両腕部１６ｂは複数の部位が回動可能に連結された関節構造となっている。
【００１６】
複合可動部１７は、中空構造の揺動ベース２０ａを有する揺動体２０と、揺動ベース２０ａに回転可能に支持された回転体２１とによって構成されており、前述した役物本体１６の両腕部１６ｂの先端は揺動ベース２０ａに連結されている。回転体２１は砲身を模すように円柱状に形成されており、図９と図１０に示すように、この回転体２１の回転軸である回転シャフト２１ａにはベベルギヤ２１ｂが固着されている。揺動体２０には揺動ベース２０ａの背面から突出する中空軸２０ｂが設けられており、この中空軸２０ｂと回転シャフト２１ａの延出方向は互いに直交している。中空軸２０ｂは可動役物１０を貫通して装飾ケース１５の裏面側に達しており、その先端部には外周面に扇形ギヤ２０ｃを有する拡径部２０ｄが設けられている。扇形ギヤ２０ｃには第１の歯車列２２の最終段ギヤ２２ａが噛合しており、第１の歯車列２２の最初段ギヤは第１のモータ２３の回転軸に固着されている。したがって、第１のモータ２３を正逆両方向へ回転制御すると、その回転が第１の歯車列２２から扇形ギヤ２０ｃを介して揺動体２０に伝達されるため、揺動体２０は中空軸２０ｂを揺動中心として役物本体１６の前方で回転駆動されることになる。すなわち、揺動体２０と回転体２１を含む複合可動部１７の全体は、第１のモータ２３を駆動源として液晶パネル９のパネル面に平行な面内を揺動可能であり、図９の破線で示す待機位置と実線で示す動作位置との間を往復移動する。
【００１７】
前記揺動体２０の中空軸２０ｂには駆動シャフト２４が挿通されており、この駆動シャフト２４の両端にはベベルギヤ２４ａと平形ギヤ２４ｂがそれぞれ固着されている。駆動シャフト２４側のベベルギヤ２４ａと回転体２１側のベベルギヤ２１ｂは揺動ベース２０ａの内部で噛合しており、これらベベルギヤ２４ａ，２１ｂを介して駆動シャフト２４の回転が回転体２１に伝達されるようになっている。また、駆動シャフト２４の平形ギヤ２４ｂには第２の歯車列２５の最終段ギヤ２５ａが噛合しており、第２の歯車列２５の最初段ギヤは第２のモータ２６の回転軸に固着されている。この第２のモータ２６は正逆いずれか一方向のみに回転駆動されるものであり、第２のモータ２６の回転は第２の歯車列２５から駆動シャフト２４を介して回転体２１に伝達される。ここで、駆動シャフト２４は揺動体２０の中空軸２０ｂの内部に挿通されており、揺動体２０は駆動シャフト２４を揺動中心軸として待機位置と動作位置の間を揺動するため、回転体２１を揺動体２０の揺動位置に拘わらず回転動作させることができる。
【００１８】
図５に示すように、前述した第１および第２のモータ２３，２６や第１および第２の歯車列２２，２５は装飾ケース１５の裏面側に配設されており、駆動シャフト２４の平形ギヤ２４ｂには第３の歯車列２７の最初段ギヤが噛合している。この第３の歯車列２７の最終段ギヤ２７ａは揺動ユニット１８の構成部材である駆動体２８の裏面に固着されており、第２のモータ２６の回転が第２の歯車列２５から第３の歯車列２７を経て駆動体２８に伝達されるようになっている。
【００１９】
図１１と図１２に示すように、前記揺動ユニット１８は、装飾ケース１５にねじ止め等の手段を用いて取り付けられた支持体２９と、この支持体２９に回転可能に軸支された揺動アーム１９と、この揺動アーム１９の裏面側に配置された駆動体２８と、揺動アーム１９を駆動体２８に向けて弾性付勢するコイルばね３０とによって構成されている。揺動アーム１９の一端部には軸孔１９ａが設けられており、この軸孔１９ａと支持体２９に連結ピン３１を挿入することにより、揺動アーム１９は連結ピン３１を揺動中心軸として遊技盤３の前後方向へ揺動可能となっている。また、揺動アーム１９には軸孔１９ａの近傍にばね掛部１９ｂが形成されており、ばね部材であるコイルばね３０の両端は支持体２９とばね掛部１９ｂとに掛止めされている。さらに、揺動アーム１９の軸孔１９ａと反対側の端部には一対の円柱状の押圧部１９ｃが立設されており、これら押圧部１９ｃの先端は半球面に形成されている。図８に示すように、揺動アーム１９は役物本体１６と装飾ケース１５との間に配設されており、両押圧部１９ｃは役物本体１６の内部に挿入されて弾性変形部１６ａと対向している。
【００２０】
図１３と図１４に示すように、揺動アーム１９の裏面にはカム状突部３２が設けられており、駆動体２８にはカム状突部３２の外表面を摺動する複数の駆動突起２８ａが設けられている。各駆動突起２８ａは駆動体２８の回転方向に沿って等間隔を存して配置されており、本実施形態例の場合は４つの駆動突起２８ａが駆動体２８の回転方向に沿って９０度おきに配置されている。したがって、第２のモータ２６を駆動源として駆動体２８が一方向（図１１の矢印方向）へ回転すると、駆動体２８の１回転中に４つの駆動突起２８ａがカム状突部３２の外表面を上流側から下流側に向けて順次摺動し、それに伴って揺動アーム１９が遊技盤３の前後方向へ小刻みに揺動動作する。すなわち、１つの駆動突起２８ａがカム状突部３２の外表面を上流側から中央部に向かって摺動する過程で、揺動アーム１９はコイルばね３０の弾性付勢力に抗して前方へ押圧され、この駆動突起２８ａがカム状突部３２の中央部を通過して下流側に向かう過程で、揺動アーム１９はコイルばね３０の弾性付勢力を受けて後方へ揺動復帰するため、かかる動作を複数の駆動突起２８ａが繰り返すことによって揺動アーム１９は前後方向へ小刻みに揺動動作する。
【００２１】
このように駆動突起２８ａがカム状突部３２の外表面を上流側から下流側に向けて摺動することにより、駆動体２８の回転動作が駆動突起２８ａとカム状突部３２の摺動部分で揺動アーム１９の揺動動作に変換されるが、図１５に示すように、カム状突部３２の外表面は上流側３２ａが下流側３２ｂに比べて緩やかな傾斜面となるように設定されている。これにより駆動突起２８ａがカム状突部３２を押圧し始めるときに必要とされるトルクを低減でき、安価で小型の第２のモータ２６を駆動源として用いても揺動アーム１９をスムーズに揺動動作することができる。また、コイルばね３０の弾性付勢力によってカム状突部３２を駆動突起２８ａに圧接させているため、揺動アーム１９を軽量化しても確実な揺動動作を実現できると共に、遊技者が遊技盤３を叩くなどして大きな衝撃力が発生したとしても、その衝撃力で揺動アーム１９が不用意に揺動してしまうことを防止できる。
【００２２】
本実施形態例に係る弾球遊技機の演出装置においては、遊技球が始動入賞口１１に入賞したとき、図示せぬ制御部に記憶された乱数発生器等によって大当たりの抽選を行い、その抽選結果に基づいて第１および第２のモータ２３，２６を始動して可動役物１０を動作させることにより、液晶パネル９の表示内容と可動役物１０の動きを関連付けて遊技の演出効果が高められるようになっている。この場合、まず第１のモータ２３を始動して一方向へ回転させると、その回転が第１の歯車列２２から扇形ギヤ２０ｃを介して揺動体２０に伝達されるため、揺動体２０が中空軸２０ｂを揺動中心として役物本体１６の前方で回転する。これにより、揺動体２０と回転体２１を含む複合可動部１７全体が図３の待機位置から矢印Ｐへ揺動回転して図６の動作位置まで移動し、関節構造となっている役物本体１６の両腕部１６ｂも揺動体２０の動きに連動して回動変位する。
【００２３】
複合可動部１７が図６の動作位置まで移動した時点で第１のモータ２３を停止すると、回転体２１は揺動体２０から液晶パネル９の中央部に向かって突出した状態に維持される。この状態で第２のモータ２６を始動して一方向へ回転させると、その回転が第２の歯車列２５から駆動シャフト２４を介して回転体２１に伝達されるため、回転体２１が液晶パネル９の前方で連続的に回転動作する。また、第２のモータ２６の回転は第２の歯車列２５から第３の歯車列２７を経て揺動ユニット１８の駆動体２８にも伝達されるため、駆動体２８が第２のモータ２６を駆動源として図１１の矢印方向へ連続的に回転し始め、駆動体２８の各駆動突起２８ａが揺動アーム１９のカム状突部３２の外表面を上流側から下流側に向けて順次摺動する。その際、駆動突起２８ａがカム状突部３２の外表面を上流側から中央部に向かって摺動する過程で、揺動アーム１９はコイルばね３０の弾性付勢力に抗して前方へ押圧され、駆動突起２８ａがカム状突部３２の中央部を通過して下流側に向かう過程で、揺動アーム１９がコイルばね３０の弾性付勢力を受けて後方へ揺動復帰するため、駆動体２８の連続的な回転に伴って揺動アーム１９が遊技盤３の前後方向へ小刻みに揺動動作し、役物本体１６の弾性変形部１６ａが揺動アーム１９に立設された押圧部１９ｃによって弾性変形される。このように複合可動部１７が図６の動作位置にあるときに、回転体２１を連続回転させながら役物本体１６の弾性変形部１６ａが小刻みに弾性変形するため、可動役物１０によってガトリング砲を抱えた人物が砲身を回転させながら連射している様子を表現することができる。
【００２４】
また、第２のモータ２６の回転を停止した後に、第１のモータ２３を上記と逆方向へ回転させると、複合可動部１７が図６の動作位置から矢印Ｑへ揺動回転して図３の待機位置へ復帰する。この場合も、第２のモータ２６の回転が第１の歯車列２２から扇形ギヤ２０ｃを介して揺動体２０に伝達されるため、揺動体２０は中空軸２０ｂを揺動中心として役物本体１６の前方で回転する。
【００２５】
このように構成された本実施形態例に係る弾球遊技機の演出装置においては、第２のモータ２６を駆動源として駆動体２８を回転動作させ、この駆動体２８の回転動作を駆動突起２８ａとカム状突部３２の摺動部分で揺動アーム１９の揺動動作に変換することにより、揺動アーム１９を遊技盤３の前後方向へ揺動させることができる。また、コイルばね３０の弾性付勢力によってカム状突部３２を駆動体２８の駆動突起２８ａに圧接させているため、揺動アーム１９を軽量化しても確実な揺動動作を実現できると共に、遊技者が遊技盤３を叩くなどして大きな衝撃力が発生したとしても、その衝撃力で揺動アーム１９が不用意に揺動してしまうことを防止できる。
【００２６】
また、駆動体２８にその回転方向へ所定間隔を存して複数の駆動突起２８ａを設け、コイルばね３０の弾性付勢力によってカム状突部３２を各駆動突起２８ａに圧接させているため、駆動体２８の１回転で揺動アーム１９を複数回揺動させることができ、揺動アーム１９を遊技盤３の前後方向へ小刻みに揺動動作させることができる。さらに、揺動アーム１９に押圧部１９ｃを立設し、この押圧部１９ｃの球面状に形成した先端を役物本体１６の弾性変形部１６ａの裏面に対向させることにより、弾性変形部１６ａを揺動アーム１９の揺動動作に伴って弾性変形するようにしたので、弾性変形部１６ａの損傷を抑制することができる。
【００２７】
なお、上記実施形態例では、一方向にのみ回転される第２のモータ２６を駆動源として駆動体２８を回転動作し、この駆動体２８の連続的な回転によって揺動アーム１９を遊技盤３の前後方向へ揺動させるものについて説明したが、正逆両方向に回転されるモータを駆動源として駆動体２８を回転動作し、この駆動体２８の正逆両方向への間欠的な回転よって揺動アーム１９を揺動動作させることも可能である。
【００２８】
また、上記実施形態例では、駆動体２８に４つの駆動突起２８ａを９０度おきに設けた場合について説明したが、例えば３つの駆動突起２８ａを１２０度おきに配設する等、必要に応じて駆動突起２８ａの数を適宜増減しても良い。同様に、揺動アーム１９に設けられたカム状突部３２の形状も上記実施形態例に限定されず、要は、駆動体２８の回転動作を揺動アーム１９の揺動動作に変換できるような駆動突起２８ａとカム状突部３２であれば良い。
【図面の簡単な説明】
【００２９】
【図１】本発明の実施形態例に係る弾球遊技機の斜視図である。
【図２】弾球遊技機の遊技盤を示す正面図である。
【図３】遊技盤に配設された中央役物装置の正面図である。
【図４】中央役物装置の斜視図である。
【図５】中央役物装置の背面図である。
【図６】中央役物装置に配設された可動役物の動作状態を示す正面図である。
【図７】可動役物の正面図である。
【図８】図７のＡ−Ａ線に沿う断面図である。
【図９】可動役物に設けられた複合可動部の内部構造を示す説明図である。
【図１０】複合可動部の駆動機構を示す斜視図である。
【図１１】可動役物を揺動動作する揺動ユニットの斜視図である。
【図１２】揺動ユニットの動作説明図である。
【図１３】揺動ユニットに設けられた揺動アームを裏面側から見て示す斜視図である。
【図１４】揺動アームと駆動体を裏面側から見て示す斜視図である。
【図１５】揺動アームのカム状突部と駆動体の駆動突起との当接部分を示す説明図である。
【符号の説明】
【００３０】
３  遊技盤
７  遊技領域
８  中央役物装置
９  液晶パネル
１０  可動役物
１５  装飾ケース
１５ａ  開口
１６  役物本体
１６ａ  弾性変形部
１６ｂ  腕部
１７  複合可動部
１８  揺動ユニット
１９  揺動アーム
１９ａ  軸孔
１９ｂ  ばね掛部
１９ｃ  押圧部１９ｃ
２２  第１の歯車列
２３  第１のモータ
２５  第２の歯車列
２６  第２のモータ
２７  第３の歯車列
２８  駆動体
２８ａ  駆動突起
２９  支持体
３０  コイルばね（ばね部材）
３１  連結ピン
３２  カム状突部
３２ａ  上流側
３２ｂ  下流側
【図１】
2008183028.tif 000003
【図２】
2008183028.tif 000004
【図３】
2008183028.tif 000005
【図４】
2008183028.tif 000006
【図５】
2008183028.tif 000007
【図６】
2008183028.tif 000008
【図７】
2008183028.tif 000009
【図８】
2008183028.tif 000010
【図９】
2008183028.tif 000011
【図１０】
2008183028.tif 000012
【図１１】
2008183028.tif 000013
【図１２】
2008183028.tif 000014
【図１３】
2008183028.tif 000015
【図１４】
2008183028.tif 000016
【図１５】
2008183028.tif 000017